(57)【要約】  本明細書で説明されるのは、複数の交換可能なコンパートメントを有する複数の交換可能なモジュラーケースを備えるモジュラーケースシステムと、取り付け手段を有する複数の交換可能なモジュラー持ち運び装置を備えるモジュラー持ち運びシステムと、第１の外枠とを備えるモジュラーラゲッジシステム（「ＭＬＳ」）である。第１の外枠は、モジュラーケースシステムから選択された交換可能なモジュラーケースを解放可能且つ交換可能に保持するように構成された係合手段を備える第１の外枠内面と、モジュラー持ち運びシステムから選択された交換可能なモジュラー持ち運び装置と解放可能且つ交換可能に連結するように構成された取り付け領域を有する第１の外枠フレームとを備える。また、複数の外枠を備えるＭＬＳの連結装置と上記ＭＬＳを組み立てるための対応する方法も説明される。ＭＬＳを組み立てるための部品のキットも説明される。
2021534938.tif 000002
【特許請求の範囲】
【請求項１】
複数の交換可能なコンパートメントを有する複数の交換可能なモジュラーケースを備えるモジュラーケースシステムと、
取り付け手段を有する複数の交換可能なモジュラー持ち運び装置を備えるモジュラー持ち運びシステムと、
第１の外枠と、
を備え、
前記第１の外枠は、
前記モジュラーケースシステムから選択された交換可能なモジュラーケースを解放可能且つ交換可能に保持するように構成された係合手段を備える第１の外枠内面と、
前記モジュラー持ち運びシステムから選択された交換可能なモジュラー持ち運び装置と解放可能且つ交換可能に連結するように構成された取り付け領域を有する第１の外枠フレームと、
を備えることを特徴とするモジュラーラゲッジシステム。
【請求項２】
前記第１の外枠内面は、前記交換可能なモジュラーケースの周囲に沿う相補溝と係合するように構成された、内側に突出する隆起部を備えることを特徴とする、請求項１に記載のモジュラーラゲッジシステム。
【請求項３】
前記第１の外枠フレームは、スリングと解放可能に連結するように構成された第１の取り付け領域と、伸縮ハンドルを備えるトロリーと解放可能に連結するように構成された第２の取り付け領域とを有することを特徴とする、請求項１に記載のモジュラーラゲッジシステム。
【請求項４】
前記モジュラーケースシステムは、衛星測位システム及び電源が組み込まれたモジュラーケースを備えることを特徴とする、請求項１に記載のモジュラーラゲッジシステム。
【請求項５】
前記モジュラー持ち運びシステムは、スリングと、伸縮ハンドルを備えるトロリーとを備えることを特徴とする、請求項１に記載のモジュラーラゲッジシステム。
【請求項６】
第２の外枠と、
連結装置と、
をさらに備え、
前記第２の外枠は、
前記モジュラーケースシステムから選択された交換可能なモジュラーケースを解放可能且つ交換可能に保持するように構成された係合手段を備える第２の外枠内面
を備え、
前記連結装置は、前記第１の外枠と第２の外枠とを一緒に、解放可能に連結するように構成されていることを特徴とする、請求項１に記載のモジュラーラゲッジシステム。
【請求項７】
前記連結装置は、前記第１の外枠上の第１の連結領域と前記第２の外枠上の第２の連結領域とを把持することによって前記第１の外枠を前記第２の外枠と連結するように構成された対向する顎部を備えるクリップを備えることを特徴とする、請求項６に記載のモジュラーラゲッジシステム。
【請求項８】
前記第２の外枠は、
前記モジュラー持ち運びシステムから選択された交換可能なモジュラー持ち運び装置と解放可能且つ交換可能に連結するように構成された取り付け領域を有する第２の外枠フレーム
をさらに備えることを特徴とする、請求項６に記載のモジュラーラゲッジシステム。
【請求項９】
前記連結装置は、前記第１の外枠上の第１の連結領域と前記第２の外枠上の第２の連結領域とを把持することによって前記第１の外枠を前記第２の外枠と連結するように構成された対向する顎部を備えるクリップを備えることを特徴とする、請求項８に記載のモジュラーラゲッジシステム。
【請求項１０】
モジュラーラゲッジシステムのための部品のキットであって、
複数の交換可能なコンパートメントを有する複数の交換可能なモジュラーケースを備えるモジュラーケースシステムと、
複数の交換可能なモジュラー持ち運び装置を備えるモジュラー持ち運びシステムと、
第１の外枠と、
を備え、
前記第１の外枠は、
前記モジュラーケースシステムから選択された交換可能なモジュラーケースを解放可能且つ交換可能に保持するように構成された係合手段を備える第１の外枠内面と、
前記モジュラー持ち運びシステムから選択された交換可能なモジュラー持ち運び装置と解放可能且つ交換可能に連結するように構成された取り付け領域を有する第１の外枠フレームと、
を備えることを特徴とする部品のキット。
【請求項１１】
前記モジュラー持ち運びシステムは、
スリングと、
伸縮ハンドルを備えるトロリーと、
を備えることを特徴とする、請求項１０に記載の部品のキット。
【請求項１２】
前記モジュラーケースシステムは、
衛星測位システムと電源とを備える交換可能なモジュラーケース
を備えることを特徴とする、請求項１０に記載の部品のキット。
【請求項１３】
第２の外枠と、
連結装置と、
をさらに備え、
前記第２の外枠は、
前記モジュラーケースシステムから選択された交換可能なモジュラーケースを解放可能且つ交換可能に保持するように構成された係合手段を備える第２の外枠内面と、
前記モジュラー持ち運びシステムから選択された交換可能なモジュラー持ち運び装置と解放可能且つ交換可能に連結するように構成された取り付け領域を有する第２の外枠フレームと、
を備え、
前記連結装置は、前記第１の外枠上の第１の連結領域と前記第２の外枠上の第２の連結領域とを把持することによって前記第１の外枠を前記第２の外枠と連結するように構成された対向する顎部を備えるクリップを備えることを特徴とする、請求項１０に記載の部品のキット。
【請求項１４】
モジュラーラゲッジシステムを組み立てる方法であって、
複数の交換可能なコンパートメントを有する複数の交換可能なモジュラーケースを備えるモジュラーケースシステムを提供するステップと、
複数の交換可能なモジュラー持ち運び装置を備えるモジュラー持ち運びシステムを提供するステップと、
第１の外枠を提供するステップと、
前記第１の外枠と、前記モジュラーケースシステムから選択された交換可能なモジュラーケースと、前記モジュラー持ち運びシステムから選択された交換可能なモジュラー持ち運び装置とを、一緒に組み合わせるステップと、
を含み、
前記第１の外枠は、
前記モジュラーケースシステムから選択された交換可能なモジュラーケースを解放可能且つ交換可能に保持するように構成された係合手段を備える第１の外枠内面と、
前記モジュラー持ち運びシステムから選択された交換可能なモジュラー持ち運び装置と解放可能且つ交換可能に連結するように構成された取り付け領域を有する第１の外枠フレームと、
を備えることを特徴とする方法。
【請求項１５】
第２の外枠を提供するステップと、
前記第２の外枠と前記モジュラーケースシステムから選択された交換可能なモジュラーケースとを一緒に組み合わせるステップと、
前記第１の外枠と前記第２の外枠とを一緒に、解放可能に連結するように構成された連結装置を提供するステップと、
前記連結装置を使用して前記第２の外枠を前記第１の外枠と連結するステップと、
をさらに含み、
前記第２の外枠は、
前記モジュラーケースシステムから選択された交換可能なモジュラーケースを解放可能且つ交換可能に保持するように構成された係合手段を備える第２の外枠内面
を備えることを特徴とする、請求項１４に記載の方法。
【請求項１６】
前記連結装置は、
前記第１の外枠上の第１の連結領域と前記第２の外枠上の第２の連結領域とを把持することによって前記第１の外枠を前記第２の外枠と連結するように構成された対向する顎部を備えるクリップ
を備えることを特徴とする、請求項１５に記載の方法。
【請求項１７】
第２の外枠を提供するステップと、
前記第２の外枠と、前記モジュラーケースシステムから選択された交換可能なモジュラーケースとを、一緒に組み合わせるステップと、
前記第１の外枠と前記第２の外枠とを一緒に、解放可能に連結するように構成された連結装置を提供するステップと、
前記連結装置を使用して前記第２の外枠を前記第１の外枠と連結するステップと、
をさらに含み、
前記第２の外枠は、
前記モジュラーケースシステムから選択された交換可能なモジュラーケースを解放可能且つ交換可能に保持するように構成された係合手段を備える第２の外枠内面と、
前記モジュラー持ち運びシステムから選択された交換可能なモジュラー持ち運び装置と解放可能且つ交換可能に連結するように構成された取り付け領域を有する第２の外枠フレームと、
を備えることを特徴とする、請求項１４に記載の方法。
【請求項１８】
前記連結装置は、
前記第１の外枠上の第１の連結領域と前記第２の外枠上の第２の連結領域とを把持することによって前記第１の外枠を前記第２の外枠と連結するように構成された対向する顎部
を備えるクリップ
を備えることを特徴とする、請求項１７に記載の方法。
【発明の詳細な説明】
【技術分野】
【０００１】
本発明の実施形態は、概して、モジュラーラゲッジシステムに関し、詳細には、複数レベルのモジュラー設計及び連結可能なケースを備えるモジュラーラゲッジシステムのためのシステム、方法、及び部品のキットに関する。
【背景技術】
【０００２】
今日のペースの速いビジネス環境では、ビジネス旅行者は常に移動し、新しい目的地に旅行して様々な会議及び行事に参加する。旅行者は、仕事の厳しい要求に対応するため、多数の専門的な機器及び身の回り品を収容するために自身の複数のラゲッジケースを持ち運ぶ必要がある。
【０００３】
従来技術には、旅行者がメインのラゲッジケースの外面に様々な付属品を追加するできるようにするラゲッジケースがある。このようなかさばるラゲッジバッグは、単品のラゲッジの適応性（柔軟性）及び便利さも、ハイエンドのブリーフケースの洗練されたすっきりとした外観も、有しない。多くの場合、取り付けられた荷物が揺れ動き、旅行者に不便を生じさせる。
【０００４】
したがって、当技術分野で必要とされるのは、複数レベルのモジュラー（モジュール式）設計を適用することによってユーザに適応性を提供するモジュラーラゲッジシステムであり、これにより、ユーザがラゲッジの構成、ラゲッジのサイズ、及びラゲッジを運ぶ手段を容易且つ迅速にカスタマイズできるようにする。あるレベルでは、ユーザは好みのラゲッジケースを自由に選択してそれをラゲッジの持ち運びの好ましい状態（モード）と適合させることができる必要がある。さらに、サブモジュラーレベルでは、ユーザは、ラゲッジケースの内部コンパートメントを追加、削除、再配置できるようにすることで、ラゲッジケースの機能及び特徴をさらにカスタマイズできる必要がある。
【発明の概要】
【０００５】
ここで開示されている実施形態は、従来技術で提示される課題のうち一又は複数に関連する課題を解決することと、添付の図面と併せて以下の詳細な説明を参照することで容易に明らかになる追加の特徴を提供することとを対象とする。
【０００６】
本発明は、交換可能なモジュラーコンポーネントを使用して、ユーザが、可変数のモジュラーケースを備えるラゲッジをラゲッジの持ち運びの好ましい状態でカスタマイズ及び構築できるようにする、モジュラーラゲッジシステム（「ＭＬＳ」）に関する。
【０００７】
本発明の第１の主な発明の態様によれば、ＭＬＳは、ユーザがモジュラーコンポーネントの任意の組み合わせを作成できるようにするために、３つのシステムのうちの１つに分類されるコンポーネントを備える。３つのシステムは、外枠、モジュラーケースシステム、及びモジュラー持ち運びシステムである。外枠は、他の２つのシステムが取り付けられるフレームを提供する。モジュラーケースシステムにより、ユーザは、複数の交換可能なモジュラーケースから選択でき、好ましくは、モジュラーケースは、各々独自の機能を備えるように設計される。ユーザがケースを選択して外枠に取り付けると、モジュラー持ち運びシステムにより、ユーザはラゲッジを持ち運ぶ幾つかの状態（モード）から選択できる。
【０００８】
上記のように、外枠を使用して、モジュラーケースをモジュラー持ち運び装置に取り付け得る。好ましい実施形態によれば、外枠は、モジュラーケースの周囲に沿う一又は複数の対応する形状の溝に適合するように、外枠の内面に沿う一又は複数の突出する隆起部を備える。全てのモジュラーケースの溝に標準化された形状を使用して、外枠にモジュラーケースのいずれかを取り付けることができる。外枠とモジュラーケースとが組み合わせられる場合、本明細書では、これを外枠ケースアセンブリという。
【０００９】
別の一実施形態によれば、外枠はまた、様々な交換可能なモジュラー持ち運び装置と連結するための一又は複数の取り付け領域を有する。例えば、外枠は、外枠フレームの両側に、スリングのスナップボルトに取り付けるためのＤリングを備える。或いは、外枠は、両側に、伸縮ハンドルを備えるトロリーに取り付けるためのドリル穴を備える。
【００１０】
本発明の第２の主な発明の態様によれば、ＭＬＳは、複数レベルのモジュラー設計を適用することによって、ユーザに自由を提供する。あるレベルでは、ユーザには、複数のモジュラーケース及びモジュラー持ち運び装置から選択されるモジュラーケース及びモジュラー持ち運び装置を組み合わせるオプションが提供される。モジュール性により、好みやニーズに基づいてカスタマイズできる。レベルダウンでは、サブモジュラー設計により、特定のモジュラーケースのサブモジュラーコンポーネントを追加、削除、再配置することにより、ラゲッジシステムをさらにカスタマイズできる。モジュラー設計の複数のレベルにより、膨大な数のオプションが可能になる。サブモジュラー設計は、複数のサブモジュラーコンパートメント及びサブモジュラー層を有することを含む、モジュラーケースの様々な側面をカバーする。
【００１１】
本発明の一実施形態において、ＭＬＳは、ＩＴを備える「ビジネスケース」を備える。このモジュラーケースは、ＩＴガジェット用のコンパートメント、ラップトップコンピュータ用のコンパートメント、衛星測位システム及び電源用の中間層を備える。さらに、ケースは、２つのサブモジュラーコンパートメントも備え、１つはアクセサリ用であり、もう１つはステーショナリー用である。サブモジュラーコンパートメントは、モジュラーケースの外面に取り外し可能に取り付けられる。
【００１２】
本発明の第３の主な発明の態様によれば、ＭＬＳは、複数の外枠ケースアセンブリを一緒に連結するための一又は複数の連結装置を備え得る。この発明の態様は、ユーザの持ち運び能力を大幅に拡大する。
【００１３】
一実施形態において、連結装置は、２つの隣接する外枠を把持するための対向する顎部を備えるクリップである。例えば、３つの外枠ケースアセンブリが並んで配置される。第１の外枠ケースアセンブリは中央に配置され、持ち運び用の伸縮ハンドルを備えるトロリーに取り付けられる。第２及び第３の外枠ケースアセンブリは、第１の外枠ケースアセンブリの両側に配置される。一対のクリップを使用して、第１のクリップが第１の外枠ケースアセンブリを第２の外枠ケースアセンブリと連結し、第２のクリップが第１の外枠ケースアセンブリを反対側の第３の外枠ケースアセンブリと連結する。この種の連結装置を使用すると、ＭＬＳは、単一のモジュラー持ち運び装置（即ち、伸縮ハンドルを備えるトロリー）を使用して、少なくとも３つのモジュラーケースを組み合わせて持ち運ぶことができる。
【００１４】
外枠ケースアセンブリは互いに同一になるように設計され得るが、当業者は、例えば第２及び第３の外枠ケースアセンブリの取り付け領域を排除するなど、僅かな変更を伴って外枠ケースアセンブリを設計し得ることが考えられることに留意されたい。
【００１５】
本発明はまた、ＭＬＳを組み立てるための対応する方法と、ＭＬＳのための部品のキットも開示する。
【００１６】
本発明のこれら及び他の実施形態はまた、添付の図を参照して実施形態の以下の詳細な説明から当業者に容易に明らかになり、本発明は、開示される任意の特定の実施形態に限定されない。
【図面の簡単な説明】
【００１７】
本開示は、一又は複数の様々な実施形態に従って、以下の図を参照して詳細に説明される。図面は、例示のみを目的として提供されており、本開示の例示的な実施形態を単に示す。これらの図面は、読み手が本開示を理解し易くするために提供されており、開示の幅、範囲、又は適用可能性を制限するものと見なされるべきではない。明確さ及び説明の容易さのため、これらの図面は必ずしも縮尺どおりに作成されてはいないことに注意されたい。
【００１８】
【図１】一実施形態によるＭＬＳを示す。
【００１９】
【図２】図２ａ、図２ｂは、本実施形態の外枠（シャーシ）及びその様々なコンポーネント（部品）を示す。
【００２０】
【図３】第１の実施形態のモジュラー持ち運び装置を示す。
【００２１】
【図４】図４ａ、図４ｂは、第２の実施形態、第３の実施形態のモジュラー持ち運び装置を示す。
【００２２】
【図５】外枠と組み合わせられるように構成された複数のモジュラーケースを示す。
【００２３】
【図６】図６ａ〜図６ｃは、サブモジュラーコンパートメント及びＩＴ中間層で構成されたモジュラーケースを示す。
【００２４】
【図７】図７ａ、図７ｂは、２つ又はそれ以上の外枠ケースアセンブリを連結するための例示的な連結装置である。
【発明を実施するための形態】
【００２５】
以下の説明は、当業者が本発明を作成、使用できるようにするために提示される。特定の装置、技術、及びアプリケーションの説明が、例としてのみ提供される。本明細書に記載の例に対する様々な変更が、当業者には容易に明らかであり、本明細書で定義される一般原理は、本発明の主旨及び範囲から逸脱することなく、他の例及び用途に適用され得る。したがって、本発明の実施形態は、本明細書に記載され示された例に限定されることを意図するものではなく、特許請求の範囲と整合する範囲を与えられるべきである。
【００２６】
本明細書に開示される実施形態は、複数の外枠と、複数の交換可能なモジュラー持ち運び装置を備えるモジュラー持ち運びシステムと、複数の交換可能なモジュラーケースを備えるモジュラーケースシステムと、２つ又はそれ以上の外枠ケースアセンブリを一緒に連結するための複数の連結装置とを備えるＭＬＳに関する。
【００２７】
図１は、以下で説明する本発明の様々な実施形態による例示的なＭＬＳ１００を示す。示されるＭＬＳ１００は、本発明の実施形態による、一緒に連結された複数の外枠ケースアセンブリ１１０に組み立てられた複数の外枠及び複数のモジュラーケースを備える。図１に示すように、本発明のＭＬＳは、以下の主要な特徴を有する。一又は複数の外枠２００。複数のモジュラー持ち運び装置（例えば、スリング３００、伸縮ハンドルを備えるトロリー４００など）を備えるモジュラー持ち運び装置１２０。複数のモジュラーケースを備えるモジュラーケースシステム１３０。複数の外枠ケースアセンブリ１１０を一緒に連結するための複数の連結装置（例えば、クリップ７００など）。
【００２８】
図２ａ、図２ｂは、外枠２００の一実施形態を示す。図２ａに示すように、外枠２００は、外枠フレーム２１０、外枠ハンドル２２０、外枠内面２３０、及びモジュラー持ち運び装置のための複数の取り付け（アタッチメント）領域（例えば、スリング３００を取り付けるためのＤリング２４０、伸縮トロリー４００を取り付けるためのドリル穴２５０など）を備える。外枠内面２３０に沿って突出する隆起部２６０は、モジュラーケース５００の周囲に沿う相補チャネル５５２と係合するように構成され、これにより、外枠フレーム２１０が外枠２００内にモジュラーケース５００を受け入れてしっかりと保持することを可能にする。本明細書では、モジュラーケース５００と組わせられる外枠２００を、外枠ケースアセンブリ１１０という。
【００２９】
さらに、図２ａは、外枠２００を、スリング３００や伸縮ハンドルを備えるトロリー４００と接続するための取り付け領域（例えば、Ｄリング２４０、ドリル穴２５０など）も示す。ここに示す取り付け領域は、単なる例示であり、モジュラー持ち運び装置を外枠ケースアセンブリ１１０に取り付ける他の手段が、当業者には容易に明らかであろう。
【００３０】
図２ｂは、外枠ケースアセンブリ１１０、詳細には、外枠ハンドル２２０及びその周辺部分の上面図を示す。外枠ハンドル２２０は、外枠外面２７０に固定して取り付けられた固定ブラケット２２４に接続された細長いハンドルグリップ２２２を備える。ハンドルグリップ２２２の下及び周囲の凹部領域６９０は、ユーザがハンドルグリップに指を巻き付けることができるように凹部とされる。さらに、凹部領域６９０は、２つ又はそれ以上の外枠ケースアセンブリを一緒に連結するための連結領域として機能する。連結装置の詳細については、後の段落で説明する。
【００３１】
モジュラー持ち運びシステム１２０に注意を向ける。図３〜図４ｃは、ショルダースリング３００や伸縮ハンドルを備えるトロリー４００を含む、外枠ケースアセンブリ１１０に取り付けるように構成された複数のモジュラー持ち運び装置を示す。
【００３２】
図３を参照すると、スリング３００が外枠ケースアセンブリ１１０に取り付けられ、これにより、モジュラーケース５００を、ショルダースリングを備えるブリーフケースに変える。図３は、外枠ケースアセンブリ１１０上の一対のＤリング２２０に取り付けられたスリング３００を示す。スリング３００は、その両端に取り付けられた取り付け部材を備えるストラップ３１０を備える。例示的な一実施形態によれば、取り付け部材は、外枠フレーム２１０上の一対のＤリング２２０に取り付けるように構成された一対のスナップボルトである。別の例示的な一実施形態では、取り付け部材は、スナップボルトなしで、ストラップ３１０自体のループであり得る（示されるように）。スリング３００はまた、ストラップ３１０の長さを調整するための調整可能なスライダー３２０と、ユーザの快適さを向上させるためのショルダーパッド３３０とを備える。
【００３３】
図４ａ〜図４ｃでは、伸縮ハンドルを備えるトロリーがＭＬＳに取り付けられており、これにより、ＭＬＳを、引っ張ることができる従来の車輪付きラゲッジに変える。図４ａ〜図４ｃは、ラゲッジシステムを持ち運ぶように構成された伸縮ハンドルを備えるトロリーの２つの例示的な実施形態を開示するが、本発明のラゲッジシステムに伸縮ハンドルを備えるトロリーを構成する他の手段もまた、当業者には容易に明らかであろう。
【００３４】
図４ａ、図４ｂは、外枠ケースアセンブリ１１０に取り付けられた伸縮ハンドルを備えるトロリー４００の第１の実施形態を示す。トロリー４００は、一対の固定シースチューブ４１０、ハンドル４２０、一対の伸縮アーム４３０、及び一対のキャスター４４０を備える。ハンドル４２０は、一対の伸縮アーム４３０を、その各々の上端で連結し、伸縮アーム４３０は、シースチューブ４１０に出入りするように構成される。一対のキャスター４４０は、シースチューブ４１０に、各々の下端で接続される。一実施形態によれば、外枠ケースアセンブリ１１０は、１対のねじ４５０によって２つのシースチューブ４１０の間でトロリー４００にしっかりと接続される。ねじ４５０は、両側のシースチューブ４１０にある一対の小さな穴に通されて、次に、外枠２２０に設けられたドリル穴２５０に固定される。図４ａは、キャスター４４０を使用して引っ張るための完全に伸ばされた状態（モード）のトロリー４００を示す。図４ｂを参照すると、伸縮ハンドルが引っ込められ、外枠ケースアセンブリ１１０を、ブリーフケースのようにハンドル４２０を使用して運ぶことができる。
【００３５】
図４ｃは、細長いブラケット部材４６０を使用して外枠ケースアセンブリ１１０を所定の位置に保持するトロリー４００の別の一実施形態を示す。一実施形態によれば、ブラケット部材４６０は、トロリー４００の基部に配置され、ブラケット部材４６０の端部は、シース４１０の下端に接続される。図４ａ、図４ｂに開示される上述の実施形態と比較すると、この実施形態は、ねじ４５０を使用せずに外枠ケースアセンブリ１１０を容易且つ迅速に設置することができるという追加の利点を有する。
【００３６】
本発明の別の一態様によれば、ＭＬＳは、複数レベルのモジュラー設計を適用することによって、ユーザに自由を提供する。上記の段落で説明したように、ユーザには、複数のモジュラーケース及びモジュラー持ち運び装置から選択されるモジュラーケース及びモジュラー持ち運び装置を組み合わせるオプションが提供される。モジュール性により、好みやニーズに基づいてカスタマイズできる。レベルダウンでは、サブモジュラー設計により、特定のモジュラーケースのサブモジュラーコンポーネントを追加、削除、再配置することにより、ラゲッジシステムをさらにカスタマイズできる。
【００３７】
図５は、例示的なモジュラーケースシステムを示し、このモジュラーケースシステムは、ＩＴ機能を備えるビジネスケース５１０、従来の旅行ケース５２０、及び様々な文化的な物のための文化的なケース５３０の３つのケースを備える。この３つのケースは、略同様の外形寸法を有するので、これらのモジュラーケースのいずれも同じ外枠２００に取り付けることができる。さらに、モジュラーケースは、様々な機能のためのサブモジュラーコンパートメントをさらに備えてもよい。
【００３８】
サブモジュラーレベルでは、設計により、サブモジュールの柔軟性がモジュラーケースの様々な側面に拡張され、これは、複数のサブモジュラーコンパートメント及びサブモジュラー層を有することを含む。ビジネスケース５１０の例示的な一実施形態によれば、様々なサブモジュラーコンパートメントを外枠ケースアセンブリ１１０から取り外して、異なる内部構成を有する他のサブモジュラーコンパートメントと交換することができる。図６ａ〜図６ｃは、ビジネスケース５１０の上述の実施形態を詳細に示す。
【００３９】
図６ａは、ビジネスケース５１０の分解図を示す。ビジネスケースは、ステーショナリー用のサブモジュラーコンパートメント６１０、アクセサリ（付属品）用のサブモジュラーコンパートメント６１２、ＩＴガジェット用のコンパートメント６２０及びそのカバー６２２、ラップトップ用のコンパートメント６３０及びそのカバー６３２、衛星測位システム（例えば、ＧＰＳなど）及び電源用のＩＴ中間層６４０を備える。ステーショナリー用のサブモジュラーコンパートメント６１０、アクセサリ用のサブモジュラーコンパートメント６１２は各々、カバー６２２、６３２上に取り外し可能に取り付けられる。例示的な一実施形態によれば、コンパートメント６２０、６３０用のカバー６２２、６３２は取り外し可能で、これにより、下にあるコンパートメント６２０、６３０及びこれらの中身を露出させることができる。別の例示的な一実施形態によれば、カバー６２２、３２及び下にあるコンパートメント６２０、６３０は、ピボット（旋回軸）によってカバー６２２、６３２を開くことができるようにヒンジで接続される。ＩＴ中間層６４０は、コンパートメント６２０、６３０の間に挟まれて、ＧＰＳ機能及びバッテリ電力をユーザに提供する。一実施形態によれば、ＩＴ中間層は、モジュラーケース５１０に組み込まれる。
【００４０】
図６ｂは、ＩＴガジェット用のコンパートメント６２０の正面図を示す。この例示的な一実施形態では、コンパートメント６２０は、タブレットコンピュータ６５４（例えば、ｉＰａｄ（登録商標））に適合するように設計された２つのポケット６５２、スマートフォン６５８用の電話ポケット６５６、及び時計６６２（例えば、Ａｐｐｌｅ  Ｗａｔｃｈなど）用の時計ホルダー６６０を備える。
【００４１】
図６ｃを参照すると、ラップトップ用のコンパートメント６３０の正面図が示されている。ラップトップ用のコンパートメント６３０は、ＩＴガジェット用のコンパートメント６２０の反対側のビジネスケース５１０の側面にある。コンパートメント６３０は、ラップトップ６７４を配置するための大きなラップトップ収納スペース（キュービクル）６７２と、ラップトップ６７４を所定の位置に保持するための三面ブラケット６７６とを備える。コンピュータ収納スペース６７２に隣接する小さなアクセサリスペース（キュービクル）６８２は、電源６８４及び他のラップトップアクセサリ（図示せず）を配置するために用意されている。
【００４２】
本発明のさらに別の一実施形態によれば、ユーザは、連結装置を使用して、２つ又はそれ以上の外枠ケースアセンブリ１１０を一緒に連結することができる。図７ａ、図７ｂは、クリップ７００の形態の例示的な連結装置を示す。図７ａを参照すると、例示的なクリップ７００は、細長いクリップ本体７１０と、２つの隣接する外枠ケースアセンブリを把持するように構成された一組の対向する顎部７２０、７２２とを備える。図７ｂは、２つの外枠ケースアセンブリ１１０と係合したクリップ７００を示す。見て分かるように、ハンドルグリップ２２２を取り囲む凹部領域６９０は、クリップ７００のための連結領域を形成する。凹部領域６９０の縁により、顎部７２０ ７２２が外枠ケースアセンブリ１１０を把持することができ、これにより、外枠ケースアセンブリ１１０を一緒に連結する。
【００４３】
本発明はまた、ＭＬＳを組み立てる方法を開示する。該方法は、以下を含む。
【００４４】
複数の交換可能なコンパートメントを有する複数の交換可能なモジュラーケースを備えるモジュラーケースシステムを提供すること。
【００４５】
複数の交換可能なモジュラー持ち運び装置を備えるモジュラー持ち運びシステムを提供すること。
【００４６】
以下を備える第１の外枠を提供すること。
【００４７】
モジュラーケースシステムから選択された交換可能なモジュラーケースを解放可能且つ交換可能に保持するように構成された係合手段を備える内面。
【００４８】
モジュラー持ち運びシステムから選択された交換可能なモジュラー持ち運び装置と解放可能且つ交換可能に連結するように構成された取り付け領域を有する外枠フレーム。
【００４９】
第１の外枠と、モジュラーケースシステムから選択された交換可能なモジュラーケースと、モジュラー持ち運びシステムから選択された交換可能なモジュラー持ち運び装置とを、一緒に組み合わせること。
【００５０】
本発明はさらに、ＭＬＳを組み立てるための部品のキットを開示する。該キットは、以下を備える。
【００５１】
複数の交換可能なコンパートメントを有する複数の交換可能なモジュラーケースを備えるモジュラーケースシステム。
【００５２】
複数の交換可能なモジュラー持ち運び装置を備えるモジュラー持ち運びシステム。
【００５３】
以下を備える第１の外枠。
【００５４】
モジュラーケースシステムから選択された交換可能なモジュラーケースを解放可能且つ交換可能に保持するように構成された係合手段を備える第１の外枠内面。
【００５５】
モジュラー持ち運びシステムから選択された交換可能なモジュラー持ち運び装置と解放可能且つ交換可能に連結するように構成された取り付け領域を有する第１の外枠フレーム。
【００５６】
上記のキットを拡張して、本発明は、複数の外枠と一又は複数のクリップとを備える拡張されたＭＬＳのためのさらに別のキットを開示する。上記のキットの部品に加えて、拡張されたＭＬＳは以下をさらに備える。
【００５７】
以下を備える第２の外枠。
【００５８】
モジュラーケースシステムから選択された交換可能なモジュラーケースを解放可能且つ交換可能に保持するように構成された係合手段を備える第２の内面。
【００５９】
モジュラー持ち運びシステムから選択された交換可能なモジュラー持ち運び装置と解放可能且つ交換可能に連結するように構成された取り付け領域を有する第２の外枠フレーム。
【００６０】
第１の外枠上の第１の連結領と第２の外枠上の第２の連結領域とを把持することによって第１の外枠を第２の外枠と連結するように構成された対向する顎部を備えるクリップを備える連結装置。
【図１】
2021534938.tif 000003
【図２ａ】
2021534938.tif 000004
【図２ｂ】
2021534938.tif 000005
【図３】
2021534938.tif 000006
【図４ａ】
2021534938.tif 000007
【図４ｂ】
2021534938.tif 000008
【図４ｃ】
2021534938.tif 000009
【図５】
2021534938.tif 000010
【図６ａ】
2021534938.tif 000011
【図６ｂ】
2021534938.tif 000012
【図６ｃ】
2021534938.tif 000013
【図７ａ】
2021534938.tif 000014
【図７ｂ】
2021534938.tif 000015
【国際調査報告】
2021534938.tif 000016